(57)【要約】【課題】かごを吊り下げる主索に付着する水の量を低減して、駆動シーブと主索との間の必要な摩擦力を確保することができるエレベータ装置を得る。【解決手段】昇降路１内には、駆動シーブ６を有する駆動装置４が配置されている。駆動シーブ６には、主索７が巻き掛けられている。かご２及び釣合おもり３は、主索７により昇降路１内に吊り下げられている。かご２及び釣合おもり３は、駆動装置４の駆動により昇降される。駆動装置４は、透明樹脂により作製された駆動装置カバー１５により覆われている。駆動装置カバー１５には、主索７の一部を覆う主索カバー１６が接続されている。主索カバー１６は、かご２及び釣合おもり３の昇降により駆動シーブ６に接触する主索７の部分を覆っている。【選択図】図１
2005060008.tif 000002
【特許請求の範囲】
【請求項１】
屋外に開放された昇降路、
駆動シーブを有し、上記昇降路内に配置された駆動装置、
上記駆動シーブに巻き掛けられた主索、
上記主索により吊り下げられ、上記駆動装置の駆動により上記昇降路内を昇降されるかご、及び
上記かごの昇降により上記駆動シーブに接触する上記主索の部分を覆い、上記主索への水の付着を防ぐための主索カバー
を備えていることを特徴とするエレベータ装置。
【請求項２】
上記主索カバーには、上記主索カバー内の上記主索の点検のために開閉される内部点検用扉が設けられていることを特徴とする請求項１に記載のエレベータ装置。
【請求項３】
上記昇降路内には、上記主索カバー外で上記主索に付着した水を除去するための水除去装置が設けられていることを特徴とする請求項１又は請求項２に記載のエレベータ装置。
【請求項４】
上記水除去装置は、上記主索への空気の吹きつけにより上記主索に付着した水を除去する風力除去部を有していることを特徴とする請求項３に記載のエレベータ装置。
【請求項５】
上記水除去装置は、上記主索へ接触するブラシ部、スポンジ部及び布部の少なくともいずれかを有していることを特徴とする請求項３又は請求項４に記載のエレベータ装置。
【請求項６】
上記駆動装置は、駆動装置カバーにより覆われており、
上記水除去装置は、上記駆動装置カバーの内部に配置されていることを特徴とする請求項３乃至請求項５の何れかに記載のエレベータ装置。
【発明の詳細な説明】
【技術分野】
【０００１】
本発明は、屋外に開放された昇降路を有するエレベータ装置に関するものである。
【背景技術】
【０００２】
従来、かごを吊り下げるロープ（主索）の長寿命化を図るために、ロープにスポンジ状ローラを押し付けて、ロープに付着した水分を除去するエレベータ装置が提案されている。
【０００３】
【特許文献１】特開２００２−３６２８５２号公報
【発明の開示】
【発明が解決しようとする課題】
【０００４】
しかし、スポンジ状ローラにより吸収可能な水の量には限界があるため、例えばロープに雨水が付着する昇降路開放形のエレベータ装置など、昇降路内のロープに付着する水の量が多い場合には、スポンジ状ローラのみではロープから水を除去しきれなくなることがある。また、ロープに水が付着したままであると、巻上機の駆動シーブとロープとの間の摩擦力が低下し、ロープが駆動シーブに対して滑ってしまう。
【０００５】
この発明は、上記のような問題点を解決することを課題としてなされたものであり、かごを吊り下げる主索に付着する水の量を低減して、駆動シーブと主索との間の必要な摩擦力をより確実に確保することができるエレベータ装置を得ることを目的とする。
【課題を解決するための手段】
【０００６】
この発明に係るエレベータ装置は、屋外に開放された昇降路、駆動シーブを有し、昇降路内に配置された駆動装置、駆動シーブに巻き掛けられた主索、主索により吊り下げられ、駆動装置の駆動により昇降路内を昇降されるかご、及びかごの昇降により駆動シーブに接触する主索の部分を覆い、主索への水の付着を防ぐための主索カバーを備えている。
【発明の効果】
【０００７】
この発明に係るエレベータ装置では、かごの昇降の際に駆動シーブに接触する主索の部分が主索カバーに覆われた範囲内で移動されるようになっているので、昇降路内へ雨水等が入ったとしても、かごの昇降により駆動シーブに接触する主索の部分に水を付着させにくくすることができる。従って、主索と駆動シーブとの間の必要な摩擦力をより確実に確保することができ、主索を駆動シーブに対して滑りにくくすることができる。
【発明を実施するための最良の形態】
【０００８】
実施の形態１．
図１は、この発明の実施の形態１に係るエレベータ装置を示す斜視図である。図１において、昇降路１は、その一部が屋外に開放されている。ここでは、昇降路１の側面の一部が金網（図示せず）となっている。このため、昇降路１内には、例えば雨天時に外気とともに雨水が直接入り込む。
【０００９】
昇降路１内には、一対のかごガイドレール及び一対の釣合おもりガイドレール（いずれも図示せず）が設置されている。かご２は、かごガイドレールに案内されて昇降路１内を昇降される。釣合おもり３は、釣合おもりガイドレールに案内されて昇降路１内を昇降される。
【００１０】
昇降路１内の下部には、駆動装置（巻上機）４が設置されている。駆動装置４は、モータを含む駆動装置本体５と、駆動装置本体５により回転駆動される駆動シーブ６とを有している。駆動シーブ６には、複数本（図では簡単のため１本としている）の主索７が巻き掛けられている。かご２及び釣合おもり３は、主索７により昇降路１内に吊り下げられている。
【００１１】
かご２の下部には、主索７が巻き掛けられた一対のかご吊り車８が設けられている。釣合おもり３の上部には、主索７が巻き掛けられた釣合おもり吊り車９が設けられている。昇降路１の上部には、主索７がそれぞれ巻き掛けられた一対のかご側返し車１０及び釣合おもり側返し車１１が設置されている。ここでは、かご側返し車１０及び釣合おもり側返し車１１は、かごガイドレール及び釣合おもりガイドレールに取り付けられた支持ビーム１２に固定されている。
【００１２】
昇降路１の上端部には、第１の綱止め部１３及び第２の綱止め部１４が固定されている。主索７は、第１の綱止め部１３に接続された第１の端部７ａと、第２の綱止め部１４に接続された第２の端部７ｂとを有している。また、主索７は、第１の端部７ａから、一対のかご吊り車８、一対のかご側返し車１０、駆動シーブ６、釣合おもり側返し車１１及び釣合おもり吊り車９の順に巻き掛けられ、第２の端部７ｂに至っている。
【００１３】
駆動装置４は、透明樹脂により作製された駆動装置カバー１５によって覆われている。また、駆動装置カバー１５には、主索７の一部を覆う筒状の主索カバー（主索用ダクト）１６が接続されている。主索カバー１６は、透明樹脂により作製されている。また、主索カバー１６は、かご２及び釣合おもり３の昇降により駆動シーブ６に接触する主索７の部分を囲繞している。即ち、主索カバー１６は、主索７の駆動シーブ６とかご側返し車１０との間の部分を覆うかご側覆い部（がご側ダクト）１７と、主索７の駆動シーブ６と釣合おもり側返し車１１との間の部分を覆う釣合おもり側覆い部（釣合おもり側ダクト）１８とを有している。
【００１４】
かご側覆い部１７及び釣合おもり側覆い部１８は、駆動装置カバー１５から主索７に沿ってそれぞれ上方へ延びている。また、かご側覆い部１７及び釣合おもり側覆い部１８は、少なくとも昇降路１の屋外に開放された部分の高さまでそれぞれ延びている。ここでは、かご側覆い部１７及び釣合おもり側覆い部１８は、駆動装置カバー１５から最上階付近までそれぞれ延びている。
【００１５】
図２は、図１の主索カバー１６を示す斜視図である。図において、かご側覆い部１７及び釣合おもり側覆い部１８は、主索７に沿って配列され互いに接続された複数の分割カバー部（分割ダクト部）１９をそれぞれ有している。主索７は、各分割カバー部１９により囲繞されている。各分割カバー部１９は、接続用枠３８により互いに接続されている。各接続用枠３８は、昇降路１の壁面に対して固定部材（図示せず）により固定されている。
【００１６】
各分割カバー部１９は、側面に開口部を有する分割カバー本体と、分割カバー本体に対する回動により開口部を開閉する内部点検用扉とを有している。これにより、開口部を通じて主索カバー１６内の主索７の点検及びメンテナンスが可能となる。
【００１７】
図３は図１の駆動装置カバー１５を示す斜視図であり、図４は図３の駆動装置カバー１５を示す縦断面図である。図において、駆動装置カバー１５内には、主索７に付着した水を除去するための第１の水除去装置２０が設けられている。第１の水除去装置２０は、駆動装置４の上方に配置されている。
【００１８】
第１の水除去装置２０は、主索７に接触することにより主索７に付着した水を除去する接触除去部であるブラシ部２３と、主索７への空気の吹きつけにより主索７に付着した水を吹き飛ばす風力除去部である送風機２４とを有している。ブラシ部２３は、送風機２４よりも高位置に配置されている。
【００１９】
第１の水除去装置２０と駆動装置４との間には、第１の水除去装置２０によって主索７から除去された水を受ける受け板２１が配置されている。受け板２１は、傾斜状態で駆動装置カバー１５に固定されている。受け板２１には、傾斜により集められた水を排出するための排水管（排水パイプ）２２が接続されている。ブラシ部２３により掃き落とされた水、及び送風機２４により吹き飛ばされた水は、受け板２１及び排水管２２を介して駆動装置カバー１５内から排出される。
【００２０】
図５は図１のかご側返し車１０付近を示す縦断面図であり、図６は図１の釣合おもり側返し車１１付近を示す縦断面図である。図において、かご側返し車１０の下方及び釣合おもり側返し車１１の下方には、主索７に付着した水を除去するための第２及び第３の水除去装置２５，２６がそれぞれ設けられている。第２の水除去装置２５は主索７のかご吊り車８とかご側返し車１０との間の部分に付着した水を、第３の水除去装置２６は主索７の釣合おもり吊り車９と釣合おもり側返し車１１との間の部分に付着した水をそれぞれ除去するようになっている。
【００２１】
第２の水除去装置２５は、接触除去部であるブラシ部２７と、風力除去部である送風機２８とを有している。ブラシ部２７は、送風機２８よりも低位置に配置されている。また、ブラシ部２７は、ブラシ部２７の下方に配置された受け板２９を含む水受け容器３０内に配置されている。水受け容器３０の下部には、受け板２９によって受けられた水を排出するための可撓性の排水管（排水ホース）３１が接続されている。
【００２２】
第３の水除去装置２６は、接触除去部であるブラシ部３２と、風力除去部である送風機３３とを有している。ブラシ部３２は、送風機３３よりも低位置に配置されている。また、ブラシ部３２は、ブラシ部３２の下方に配置された受け板３４を含む水受け容器３５内に配置されている。水受け容器３５の下部には、受け板３４によって受けられた水を排出するための可撓性の排水管（排水ホース）３６が接続されている。
【００２３】
なお、図示しないが、第１の水除去装置２０と駆動シーブ６との間、第２の水除去装置２５とかご側返し車１０との間、及び第３の水除去装置２６と釣合おもり側返し車１１との間には、主索７の寿命の短縮を防止するために、主索保護剤である保護油を主索７に吹き付ける主索保護剤塗布装置が配置されている。
【００２４】
次に、動作について説明する。
駆動装置４が駆動されて駆動シーブ６が回転されると、主索７と駆動シーブ６との間の摩擦力により主索７が移動され、かご２及び釣合おもり３が昇降される。このとき、雨水が昇降路１内に入り込んでも、主索カバー１６内の主索７への雨水の付着は、主索カバー１６により遮られ、主索７の駆動シーブ６に接触する部分に多量の雨水が付着することはない。また、昇降路１内に風が吹き込んでも、主索７の主索カバー１６に囲繞されている部分が水平方向へ大きく揺れることはない。
【００２５】
また、昇降路１内に入り込んだ雨水は、主索カバー１６外で主索７に付着することがあるが、主索７に付着した水の一部は、主索７がブラシ部２３，２７，３２に対して摺動されることにより掃き落とされて主索７から除去される。さらに、主索７から除去されずに残った水は、送風機２４，２８，３３により主索７から吹き飛ばされて除去される。
【００２６】
主索７から除去された水は、受け板２１，２９，３４及び排水管２２，３１，３６を介して昇降路１の底部へ排出される。
なお、主索保護剤塗布装置が定期的に動作され、主索７には保護油が吹き付けられる。
【００２７】
このようなエレベータ装置では、かご２及び釣合おもり３の昇降により駆動シーブ６に接触する主索７の部分が主索カバー１６に覆われた範囲内で移動されるようになっているので、昇降路１内へ雨水等が入り込んでも、主索７の主索カバー１６に覆われた部分に水を付着させにくくすることができる。従って、主索７と駆動シーブ６との間の必要な摩擦力をより確実に確保することができ、主索７を駆動シーブ６に対して滑りにくくすることができる。また、昇降路１内への外気の流入による主索７の揺れも低減することができ、昇降路１内の付属機器等への主索７の接触あるいは引っ掛かりによるエレベータ装置の故障等を防止することができる。
【００２８】
従って、例えば金網によって囲まれただけの昇降路を有する電波発信用鉄塔（いわゆるテレビ塔）用のエレベータ装置、あるいは昇降路の一部が屋外に直接開放されたままのエレベータ装置などにこの発明を適用すると特に有効である。
【００２９】
また、主索カバー１６には、主索カバー１６内の主索７の点検のために開閉される内部点検用扉が設けられているので、主索カバー１６内の主索７の特定部分の点検及びメンテナンス等を容易に行うことができる。
【００３０】
また、昇降路１内の所定の箇所には、主索７に付着した水を除去するための第１乃至第３の水除去装置２０，２５，２６が設けられているので、主索７に付着した水の除去をさらに確実にすることができる。
【００３１】
また、第１乃至第３の水除去装置２０，２５，２６は、主索７への空気の吹きつけにより水を吹き飛ばす送風機２４，２８，３３をそれぞれ有しているので、主索７に付着した水を簡単な構成でしかも容易に除去することができる。
【００３２】
また、第１乃至第３の水除去装置２０，２５，２６は、主索７に接触して水を除去するブラシ部２３，２７，３２をそれぞれ有しているので、主索７に付着した水を簡単な構成でしかも容易に除去することができる。
【００３３】
また、第１の水除去装置２０は、駆動装置カバー１５内に配置されているので、第１の水除去装置２０に水及び汚れ等が付着しにくくなり、第１の水除去装置２０の故障を少なくすることができる。
【００３４】
なお、上記の例では、風力除去部による水の除去は送風機２４により主索７から吹き飛ばすのみであるが、図７に示すように、送風機２４に対向する吸引機３７により、主索７から吹き飛ばされた水を吸引するようにしてもよい。
【００３５】
また、上記の例では、主索カバー１６に設けられた内部点検用扉は、主索カバー１６内の主索７の点検等のために分割カバー本体に対して回動されるようになっているが、内部点検用扉を分割カバー本体から完全に取り外せるようにしてもよい。
【００３６】
実施の形態２．
図８は、この発明の実施の形態２に係るエレベータ装置の水除去装置を示す縦断面図である。図において、水除去装置４１は、釣合おもり側返し車１１の下方に配置されている。また、水除去装置４１は、主索７に接触して主索７から水を除去する接触除去部であるスポンジ吸水機構部４２と、送風機３３とを有している。スポンジ吸水機構部４２は、主索７に押し付けられたスポンジ部である一対のスポンジローラ４３と、スポンジローラ４３に押し付けられ、各スポンジローラ４３に含まれる水を絞り出すための絞り部である一対の硬質絞りローラ４４とを有している。スポンジローラ４３は、スポンジ状部材により作製されている。主索７は一対のスポンジローラ４３間に挟まれ、各スポンジローラ４３は主索７と一対の硬質絞りローラ４４との間に挟まれている。一対のスポンジローラ４３は、主索７の移動により回転される。また、一対の硬質絞りローラ４４は、各スポンジローラ４３の回転により回転される。
なお、実施の形態１における第１及び第２の水除去装置２０，２５の接触除去部もスポンジ吸水機構部４２と同様の構成となっている。また、他の構成は実施の形態１と同様である。
【００３７】
次に、動作について説明する。
エレベータ装置の運転時の主索７の移動により各スポンジローラ４３が回転される。このとき、主索７に付着した水は、回転される各スポンジローラ４３に吸い取られる。一方、各硬質絞りローラ４４は、各スポンジローラ４３の回転により回転される。主索７から吸い取られて各スポンジローラ４３に含まれている水は、回転される硬質絞りローラ４４により絞り出される。この後の動作は、実施の形態１と同様である。
【００３８】
このようなエレベータ装置では、スポンジローラ４３が主索７との接触により主索７から水を吸い取るようになっているので、主索７からの水の除去をさらに確実にすることができる。
【００３９】
また、スポンジローラ４３に含まれる水は、硬質絞りローラ４４により絞り出されるようになっているので、スポンジローラ４３の吸水力の低下を防止することができる。
【００４０】
実施の形態３．
図９は、この発明の実施の形態３に係るエレベータ装置の水除去装置を示す縦断面図である。図において、水除去装置５１は、かご側返し車１０の下方に配置されている。また、水除去装置５１は、主索７に接触して主索７から水を除去する接触除去部である布吸水機構部５２と、送風機２８とを有している。布吸水機構部５２は、主索７に押し付けられた布部である一対の環状布ベルト５３と、各環状布ベルト５３が巻き掛けられた布掛けローラ５４とを有している。ここでは、各環状布ベルト５３は、水を吸収しやすいタオル地となっている。主索７は、一対の環状布ベルト５３の間に挟まれている。各環状布ベルト５３は主索７の移動により周回移動され、布掛けローラ５４は各環状布ベルト５３の周回移動により回転される。
なお、実施の形態１における第１及び第３の水除去装置２０，２６の接触除去部も布吸水機構部５２と同様の構成となっている。また、他の構成は実施の形態１と同様である。
【００４１】
次に、動作について説明する。
エレベータ装置運転時の主索７の移動により各環状布ベルト５３が周回移動される。このとき、主索７に付着した水は、周回移動される各環状布ベルト５３に吸い取られる。この後の動作は、実施の形態１と同様である。
【００４２】
このようなエレベータ装置では、環状布ベルト５３が主索７との接触により主索７から水を吸い取るようになっているので、主索７からの水の除去をさらに確実にすることができる。
【００４３】
なお、各上記実施の形態では、駆動装置カバー１５及び主索カバー１６は透明樹脂材料により作製されているが、耐腐食性の金属材料あるいは表面が防錆処理された金属材料により駆動装置カバー１５及び主索カバー１６を作製してもよい。
【００４４】
また、各上記実施の形態では、主索７への水の付着をより確実に防止するために、主索カバー１６、駆動装置カバー１５及び水除去装置が併用されているが、主索カバー１６のみによって主索７への水の付着を防止してもよい。
【図面の簡単な説明】
【００４５】
【図１】この発明の実施の形態１に係るエレベータ装置を示す斜視図である。
【図２】図１の主索カバーを示す斜視図である。
【図３】図１の駆動装置カバーを示す斜視図である。
【図４】図３の駆動装置カバーを示す縦断面図である。
【図５】図１のかご側返し車付近を示す縦断面図である。
【図６】図１の釣合おもり側返し車付近を示す縦断面図である。
【図７】図４の水除去装置の他の例を示す縦断面図である。
【図８】この発明の実施の形態２に係るエレベータ装置の水除去装置を示す縦断面図である。
【図９】この発明の実施の形態３に係るエレベータ装置の水除去装置を示す縦断面図である。
【符号の説明】
【００４６】
１  昇降路、２  かご、４  駆動装置、６  駆動シーブ、７  主索、１６  主索カバー、２０  第１の水除去装置、２５  第２の水除去装置、２６  第３の水除去装置、２３，２７，３２  ブラシ部（接触除去部）、２４，２８，３３  送風機（風力除去部）、４１，５１  水除去装置、４３  スポンジローラ（スポンジ部）、５３  環状布ベルト（布部）。
【図１】
2005060008.tif 000003
【図２】
2005060008.tif 000004
【図３】
2005060008.tif 000005
【図４】
2005060008.tif 000006
【図５】
2005060008.tif 000007
【図６】
2005060008.tif 000008
【図７】
2005060008.tif 000009
【図８】
2005060008.tif 000010
【図９】
2005060008.tif 000011